(57)【特許請求の範囲】
【請求項１】
パチンコ台の側方に設置される台間玉貸機の下部に配設され、玉通路を送られてくるパチンコ玉を計数する玉計数センサー、及び玉通路を遮断可能なシャッタを有する玉計数器と、
上記玉計数器の前面と上記パチンコ台の下玉受皿の下方位置との間に設けられ、上記玉計数器に対する着脱機構、上記玉計数器側が低位となっている玉ガイド、同玉ガイドに沿って複数列の玉通路を形成する玉分離板、及び上記下玉受皿の下方に位置するように設けられた玉受皿からなる玉シュートとを備え、
上記玉シュートを上記玉計数器に対し上記着脱機構を介して着脱可能に設けてなり、
上記着脱機構は、上記玉計数器側の結合部に対し回動して係止される結合片と、この結合片を回動する鍵とからなり、常時は上記結合片を上記結合部に係止させることにより上記玉計数器に結合されている上記玉シュートを、上記鍵の回転により上記結合片を回動させることによって上記玉計数器から分離して取り外すことができるようにするものであり、
上記結合片の回動位置を検知する検知器と、上記シャッタを開閉するための駆動機構とが設けられ、
上記鍵を回転して上記結合片を上記玉計数器と上記玉シュートの分離方向に回動させたことを上記検知器が検知すると、上記シャッタが上記玉通路を閉じるように上記駆動機構が作動し、上記鍵を回転して上記玉シュートを上記玉計数器に結合させるように上記結合片を回動させたことを上記検知器が検知すると、上記シャッタを開放して上記玉通路を開路するように上記駆動機構が作動する、
ことを特徴とする玉計数機能付き台間玉貸機。
【請求項２】
上記玉計数器の玉通路における上記玉計数センサーの設置位置の上流側に、玉流入方向には回転し、逆方向には回転不可に構成され、不正具の使用を防止する不正具使用防止爪を設けてなることを特徴とする請求項１記載の玉計数機能付き台間玉貸機。
【請求項３】
上記玉受皿を上記玉シュートに対し回転規制手段を介して所定角度回転可能に取り付け、同回転位置でその上面高さが上記玉シュートの上面高さと同等となるよう構成してなることを特徴とする請求項１記載の玉計数機能付き台間玉貸機。
【発明の詳細な説明】
【０００１】
【発明の属する技術分野】
本発明は、パチンコ台から出たパチンコ玉を玉貸機の下部に配設されている玉計数器に導いて計数することができる玉計数機能付き台間玉貸機に関するものである。
【０００２】
【従来の技術】
玉計数機能付き台間玉貸機の一例としては、実開平７−２４３９１号公報に記載されたものが知られている。
この玉計数機能付き台間玉貸機は、通常、玉計数器をパチンコ台の側方に設置された台間玉貸機の下部に配設しており、玉計数器の前面に突出して設けられた連結部に玉案内アームの基端部を回転可能に連結し、この玉案内アームの他端部に設けられた玉受部を玉案内アームの回転位置に応じてパチンコ台の下玉受皿の下方に位置させることができるよう構成されている。
【０００３】
また、玉案内アームには、パチンコ玉を２列の整列状態で案内する第１及び第２の玉案内路が形成されていると共に、玉計数器との連結部には、第１及び第２の玉案内路と各々連通する第１及び第２の玉排出路が形成されており、玉計数器はこの第１及び第２の玉排出路から２列の整列状態で導かれてくるパチンコ玉を２列の整列状態で計数するように構成されている。
【０００４】
しかしながら、上記した従来の玉計数機能付き台間玉貸機では、玉計数器のハード又はソフトに何らかの故障が発生したとき、玉計数が不能となり、ひいてはパチンコ台自体を稼働できなくなる問題がある。
また、玉詰まりなどの故障が発生し、その解消のためにパチンコ台の正面扉を開ける場合、玉受部とパチンコ台の正面扉との干渉を避けるため、玉案内アームを手前に回動させる必要があり、これが場所塞ぎになる問題を発生させている。
【０００５】
【発明が解決しようとする課題】
本発明の課題は、玉計数器が故障して玉計数が不能となったときでも、パチンコ台自体を稼働させることができる玉計数機能付き台間玉貸機を提供することにある。
本発明のもう一つの課題は、玉計数器に対してパチンコ玉に類似の球を数珠状に繋いだ不正具を使用し、玉計数を増やす不正行為を防止できる玉計数機能付き台間玉貸機を提供することにある。
本発明の更なる課題は、玉詰まり等の故障発生時にパチンコ台の正面扉を開ける場合にも、場所塞ぎを生じさせることのない玉計数機能付き台間玉貸機を提供することにある。
【０００６】
【課題を解決するための手段】
上記した課題を解決するため、本発明にかかる玉計数機能付き台間玉貸機は、パチンコ台の側方に設置される台間玉貸機の下部に配設され、玉通路を送られてくるパチンコ玉を計数する玉計数センサー、及び玉通路を遮断可能なシャッタを有する玉計数器と、上記玉計数器の前面と上記パチンコ台の下玉受皿の下方位置との間に設けられ、上記玉計数器に対する着脱機構、上記玉計数器側が低位となっている玉ガイド、同玉ガイドに沿って複数列の玉通路を形成する玉分離板、及び上記下玉受皿の下方に位置するように設けられた玉受皿からなる玉シュートとを備え、上記玉シュートを上記玉計数器に対し上記着脱機構を介して着脱可能に設けてなり、上記着脱機構は、上記玉計数器側の結合部に対し回動して係止される結合片と、この結合片を回動する鍵とからなり、常時は上記結合片を上記結合部に係止させることにより上記玉計数器に結合されている上記玉シュートを、上記鍵の回転により上記結合片を回動させることによって上記玉計数器から分離して取り外すことができるようにするものであり、上記結合片の回動位置を検知する検知器と、上記シャッタを開閉するための駆動機構とが設けられ、上記鍵を回転して上記結合片を上記玉計数器と上記玉シュートの分離方向に回動させたことを上記検知器が検知すると、上記シャッタが上記玉通路を閉じるように上記駆動機構が作動し、上記鍵を回転して上記玉シュートを上記玉計数器に結合させるように上記結合片を回動させたことを上記検知器が検知すると、上記シャッタを開放して上記玉通路を開路するように上記駆動機構が作動することを特徴とするもので、台間玉貸機が取り外されたり、玉計数器のハードやソフトが故障して玉計数不能となったとき、シャッタを閉じ、玉シュートを取り外してパチンコ台の下玉受台の下にドル箱を置いて、玉計数機能無しのパチンコ台として使用することを可能とし、一方、故障が解消され、玉計数が可能になったときには、シャッタを開放し、玉通路を開路するため、玉計数機能付き台間玉貸機としての機能が回復されるようになっている。
【０００７】
また、本発明にかかる玉計数機能付き台間玉貸機は、上記した玉計数機能付き台間玉貸機において、上記玉計数器の玉通路における上記玉計数センサーの設置位置の上流側に、玉流入方向には回転し、逆方向には回転不可に構成され、不正具の使用を防止する不正具使用防止爪を設けてなることを特徴とするもので、このような不正具使用防止爪を設置することによって、パチンコ玉に類似の球を数珠状に繋いだ不正具を使用して不正に遊技しようとする者に対して、そのような不正行為を防止することができる。
【０００８】
更に、本発明にかかる玉計数機能付き台間玉貸機は、上記した玉計数機能付き台間玉貸機において、上記玉受皿を上記玉シュートに対し回転規制手段を介して所定角度回転可能に取り付け、同回転位置でその上面高さが上記玉シュートの上面高さと同等となるよう構成してなることを特徴とするもので、玉詰まり解消等のためにパチンコ台の正面扉を開放する際に、玉シュートに設けられている玉受皿のみを所定角度回転させることにより、玉受皿との干渉を回避して、正面扉を開放することができる。
【０００９】
【発明の実施の形態】
以下に本発明の実施の形態を図１乃至図１０に基づいて説明する。
図１は本発明にかかる玉計数機能付き台間玉貸機の正面図、図２はその左側面図、図３は図２中のＡ矢視側面図、図４は玉計数器及び玉シュート部の平面図、図５はその正面図、図６はその左側面図、図７は玉受皿の回転機構部を示す平面図、図８はその正面図、図９はその側面図、図１０は玉受皿回転機構部の拡大断面図、図１１はその回転規制手段の構成を示す断面図である。
【００１０】
図中において、１はサンドと呼ばれている台間玉貸機で、パチンコ台に隣接してその側方に設置される。
台間玉貸機１の前面側には、硬貨投入口２やＩＣカード挿入口３、玉をパチンコ台に導く玉ノズル４の他に、各種表示ランプ５、各種表示器６、及び各種操作ボタン７等が設けられ、後面側には、硬貨回収コンベア８やターミナルボックス９、１００ボルトコンセント１０等が設けられている。
【００１１】
また、この台間玉貸機１の下部には、玉計数器１１が台間玉貸機１の内部に収納されて一体に配設されている。
この玉計数器１１の前面とパチンコ台の下玉受皿１２の下方位置との間には、玉シュート１３が設置されており、玉シュート１３は、玉計数器１１に対して着脱可能に設けられる。
【００１２】
玉シュート１３のパチンコ台側の端部には、パチンコ台の下玉受皿１２から落下されるパチンコ玉１４を一旦受ける玉受皿１５が設けられると共に、この玉受皿１５で受けたパチンコ玉１４を玉計数器１１に対して２列に分け整列させて送る、玉計数器１１側が低位となるように傾斜されて設けられた複数列の玉ガイド１６と、玉ガイド１６の途中から設けられ、パチンコ玉１４を２列に分離する高さが一定の玉分離板１７が設置されている。
【００１３】
また、この玉シュート１３の玉計数器１１側の端部近くには、パチンコ玉１４が２段になって玉計数器１１に供給されるのを防止するため、玉ガイド１６及び玉分離板１７によって形成される玉通路１８の上部に、同玉通路１８を横断する方向に玉規制ピン１９が設けられている。
更に、玉シュート１３の玉計数器１１側の端部には、玉シュート１３を玉計数器１１に対して着脱可能に取り付ける着脱機構２０が設けられている。
【００１４】
この着脱機構２０は、玉計数器１１側の結合部２１に対し回動して係止される結合片２２と、この結合片２２を回動する鍵２３とからなり、常時は結合片２２を玉計数器１１側の結合部２１に係止させることにより、玉計数器１１に結合されている玉シュート１３を、玉計数器１１の故障時等に鍵２３の回転により結合片２２を回動させることによって、玉計数器１１から分離して取り外すことができるようにするものである。
【００１５】
玉計数器１１の一端側には、パチンコ玉１４を計数する玉計数センサー２４が２列に分けて配設されており、この玉計数センサー２４で計数されたパチンコ玉１４は、玉計数器１１の後面の排出口２５からパチンコ島内部に排出されるようになっている。
【００１６】
玉計数センサー２４は、丸いパチンコ玉１４のみを計数できるよう構成されている。このような玉計数センサー２４に対して、パチンコ台で不正に遊技しようとする不正者がパチンコ玉１４に類似する球を多数数珠状に繋いだ不正具を、玉計数センサー２４に通して計数させた後、引き抜いて計数だけを増加させようとしても、それを引き抜くことができないようにして不正行為を防止する不正具使用防止爪２６が、玉計数センサー２４の上流側に設置されている。
【００１７】
この不正具使用防止爪２６は、パチンコ玉１４が玉計数センサー２４側に流入する方向に対しては回転を許容するが、上記のような不正具を入れそれを引き抜こうとしたとき、逆方向には回転不可に構成されているため、不正者が不正具を使用して不正行為を働こうとしても、それができないよう機能するようになっている。
【００１８】
なお、この不正具使用防止爪２６を使用して、不正具を引き抜こうとしたときに、不正具使用防止爪２６に作用する逆回転力をセンサーを用いて検知し、その検知信号をパチンコ遊技場のカウンターに通報するように構成すれば、どのパチンコ台で不正行為が行われているかを察知することができ、不正者に対して適切な対応を取ることができるようになる。
【００１９】
また、玉計数器１１のパチンコ玉１４の入口側には、球通路２７を遮断するためのシャッタ２８と、シャッタ２８に接続されたスプリング２９と、リミットスイッチ３０が設けられ、一方、中央部には、このシャッタ２８を開閉するためのＤＣソレノイド３１が設置されている。
このように玉計数器１１の入口にシャッタ２８を設けることにより、台間玉貸機１が取り外されたり、玉計数器１１のハードやソフトが故障して玉計数不能となったとき、シャッタ２８を閉じ、玉シュート１３を取り外してパチンコ台の下玉受台１２の下にドル箱を置いて、玉計数機能無しのパチンコ台として使用することを可能としている。
【００２０】
このため、まず鍵２３を回転して結合片２２を玉計数器１１と玉シュート１３の分離方向に回動させ、リミットスイッチ３０のアクチュエータを押していた結合片２２をそのアクチュエータから切り離し、リミットスイッチ３０をオンからオフに切り替える。
リミットスイッチ３０がオフになると、ＤＣソレノイド３１がオンからオフに切り替わりシャッタ２８がスプリング２９に引かれて玉通路２７を閉じるように構成している。
【００２１】
一方、故障が解消され、玉計数が可能になったときには、直ちに玉シュート１３を玉計数器１１に取り付け、鍵２３を回転して結合片２２を回動させ、この結合片２２を玉計数器１１側の結合部２１に係止することにより、玉シュート１３を玉計数器１１に結合できるようになっている。
これによって結合片２２がリミットスイッチ３０のアクチュエータを押し、リミットスイッチ３０をオフからオンに切り替え、ＤＣソレノイド３１を作動させてシャッタ２８を開放し、玉通路２７を開路するため、玉計数機能付き台間玉貸機としての機能が回復される。ここで、ドル箱に溜まっているパチンコ玉１４を玉受皿１５に戻すことにより、計数を開始できるようになっている。
【００２２】
更に、玉受皿１５には、その上部縁にパチンコ台の下玉受皿１２から落下するパチンコ玉１４が、その間から外に飛び出さないようにする縁取り３２が設けられており、その分だけ玉シュート１３の上面より高くなっている。
この玉受皿１５は、玉詰まり等の故障を解消するためにパチンコ台の正面扉を開くとき、縁取り３２が正面扉と干渉しないよう玉シュート１３に対して所定角度回転可能に取り付けられている。
【００２３】
玉受皿１５は、図７乃至図１１に示すように玉シュート１３に対して軸３３を中心に回転可能に支持され、玉シュート１３の端部に円周上９０度で等間隔に４ケ所に設けられている皿もみ状の凹部３４と、この凹部３４と係合してクリックにより回転を規制するピン３５（又はボール）と、ピン３５を凹部３４方向に付勢するコイルスプリング３６とからなる回転規制手段３７により、所定角度回転可能に取り付けられており、その回転位置で上面高さが玉シュート１３の上面と同等高さとなるよう構成されている。
【００２４】
しかして、上記の実施形態によると、台間玉貸機１の下部に配設されている玉計数器１１の前面とパチンコ台の下玉受皿１２の下方位置との間に設置される玉シュート１３を、玉計数器１１に対し着脱機構２０を介して着脱可能に設けているため、玉計数器１１の故障等により玉計数が不能となったとき、玉シュート１３を取り外してドル箱をパチンコ台の下玉受皿１２の下に置くことにより、パチンコ台を稼働させて遊技を継続することができる。
【００２５】
一方、玉計数が可能になったときには、玉計数器１１に玉シュート１３を取り付けることによって、直ちに玉計数機能付き台間玉貸機１としての機能を回復させることができる。
また、玉計数器１１には、不正具使用防止爪２６が設けられているため、不正者による不正具を使用した不正行為を防止することができる。
【００２６】
更に、パチンコ台の下玉受皿１２の下方に位置する、玉シュート１３の端部に設けられる玉受皿１５を、玉シュート１３に対し回転規制手段３７を介して所定角度回転可能に取り付け、回転位置で玉受皿１５の高さが玉シュート１３の上面高さと同じ高さとなるようにしているため、パチンコ台の正面扉を開放する際にも干渉せずに正面扉を開放することができる。
従って、玉シュート１３を回転することによって生ずる場所塞ぎを解消することができる。
【００２７】
【発明の効果】
以上に説明したように、本発明にかかる玉計数機能付き台間玉貸機によると、玉計数器が故障して玉計数が不能となったときでも、簡単な操作でシャッタにより玉通路を遮断すると共に、玉シュートを取り外すことができるため、パチンコ台の下玉受皿の下にドル箱を置き、玉計数機能無しのパチンコ台として、パチンコ台自体を稼働させ、遊技を継続することができる。
【００２８】
また、玉計数器に不正具使用防止爪を設けているため、不正具を使用した不正行為を防止することができると共に、玉シュート端部の玉受皿を所定角度回転可能に取り付け、パチンコ台の正面扉開放時に干渉しないようにすることができるため、玉シュート自体を回転させる必要がなく、玉シュートを回転させることによって発生していた場所塞ぎの問題を解消することができる。
【図面の簡単な説明】
【図１】本発明にかかる玉計数機能付き台間玉貸機の正面図である。
【図２】本発明にかかる玉計数機能付き台間玉貸機の左側面図である。
【図３】本発明にかかる玉計数機能付き台間玉貸機の図２中のＡ矢視側面図である。
【図４】本発明にかかる玉計数機能付き台間玉貸機の玉計数器及び玉シュート部の平面図である。
【図５】本発明にかかる玉計数機能付き台間玉貸機の玉計数器及び玉シュート部の正面図である。
【図６】本発明にかかる玉計数機能付き台間玉貸機の玉計数器及び玉シュート部の左側面図である。
【図７】本発明にかかる玉計数機能付き台間玉貸機の玉受皿の回転機構部を示す平面図である。
【図８】本発明にかかる玉計数機能付き台間玉貸機の玉受皿の回転機構部を示す正面図である。
【図９】本発明にかかる玉計数機能付き台間玉貸機の玉受皿の回転機構部を示す側面図である。
【図１０】本発明にかかる玉計数機能付き台間玉貸機の玉受皿の回転機構部の拡大断面図である。
【図１１】本発明にかかる玉計数機能付き台間玉貸機の玉受皿の回転機構部の回転規制手段の構成を示す断面図である。
【符号の説明】
１  台間玉貸機
１１  玉計数器
１２  下玉受皿
１３  玉シュート
１４  パチンコ玉
１５  玉受皿
１６  玉ガイド
１７  玉分離板
１８  玉通路
２０  着脱機構
２４  玉計数センサー
２６  不正具使用防止爪
２７  玉通路
２８  シャッタ
３７  回転規制手段
【図１】
0004472030.tif 000002
【図２】
0004472030.tif 000003
【図３】
0004472030.tif 000004
【図４】
0004472030.tif 000005
【図５】
0004472030.tif 000006
【図６】
0004472030.tif 000007
【図７】
0004472030.tif 000008
【図８】
0004472030.tif 000009
【図９】
0004472030.tif 000010
【図１０】
0004472030.tif 000011
【図１１】
0004472030.tif 000012